(57)【要約】【課題】野菜収納ケースから発生するエチレンガスをフィルターで吸収しやすく、野菜の保存性が向上する冷蔵庫を提供すること。【解決手段】冷蔵庫本体と、この本体に設けられ、野菜等を収納する野菜室と、この野菜室に設けられ、野菜室に支持された引き出し式の扉を有し、この引き出し式の扉に支えられた上段ケースと下段ケースとで構成され、上段ケースは、下段ケースに支えられて下段ケースの上を製品奥行き方向にスライドし、製品内部の前面近くまで収納部を有する上下二段の収納ケースと、この収納ケースの上面を密閉するための蓋と、上段ケースの少なくとも底面又は側面に設けられ、下段ケースと連通する通気孔と、蓋又は収納ケースに設けられ、果物等から発生するエチレンガス等を吸収するフィルターと、を備えたことを特徴とする。【選択図】図２
2007093202.tif 000002
【特許請求の範囲】
【請求項１】
冷蔵庫本体と、
この本体に設けられ、野菜等を収納する野菜室と、
この野菜室に設けられ、該野菜室に支持された引き出し式の扉を有し、この引き出し式の扉に支えられた上段ケースと下段ケースとで構成され、前記上段ケースは、前記下段ケースに支えられて該下段ケースの上を製品奥行き方向にスライドし、製品内部の前面近くまで収納部を有する上下二段の収納ケースと、
この収納ケースの上面を密閉するための蓋と、
前記上段ケースの少なくとも底面又は側面に設けられ、前記下段ケースと連通する通気孔と、
前記蓋又は前記収納ケースに設けられ、果物等から発生するエチレンガス等を吸収するフィルターと、
を備えたことを特徴とする冷蔵庫。
【請求項２】
前記フィルターが上段ケースの背面に設けられたことを特徴とする請求項１記載の冷蔵庫。
【請求項３】
前記フィルターが下段ケースの背面に設けられたことを特徴とする請求項１記載の冷蔵庫。
【請求項４】
前記フィルターが前記蓋及び前記上段ケースの背面又は前記下段ケースの背面に設けられたことを特徴とする請求項１記載の冷蔵庫。
【請求項５】
前記フィルターが前記上段ケースの背面及び前記下段ケースの背面に設けられたことを特徴とする請求項１記載の冷蔵庫。
【発明の詳細な説明】
【技術分野】
【０００１】
この発明は、冷蔵庫に係り、特に野菜室の収納ケースに関するものである。
【背景技術】
【０００２】
図１４は従来の冷蔵庫の側断面図、図１５は従来の冷蔵庫の野菜室内部を示す斜視図である。図において、１は野菜室、２、３は野菜室１と他の室の中仕切り、４は野菜室扉で野菜室１の側壁に支えられており、レールやローラー等の機構部品により製品奥行き方向に引き出し可能になっている。５は野菜室収納ケースで、野菜室扉４に支えられている。６はフルーツ等野菜と区別して保存したい食品専用のフルーツ収納ケースであり、野菜収納ケース５に支えられ野菜収納ケース５の上を製品奥行き方向にスライドすることができる。７は野菜収納ケース５、フルーツ収納ケース６を密閉するための野菜室蓋である。
【０００３】
上記のように構成された冷蔵庫において、野菜室の収納ケースの形態は、例えば図１５に示すようなものである。野菜室蓋７には、例えば果物から発生するエチレンガスを吸収するものや、野菜室１内の湿度を整える透湿機能を有するフィルター８を備える。
【特許文献１】特開平０８−１４５５４４号公報
【特許文献２】特開平０５−０９９５５９号公報
【特許文献３】特開平０８−０８６５５８号公報
【発明の開示】
【発明が解決しようとする課題】
【０００４】
従来の冷蔵庫は以上のように構成されているので、フルーツ収納ケース６が野菜収納ケース５を覆っており、下の野菜収納ケース５に対してフィルター８が作用しにくいという問題点があった。
【０００５】
この発明はかかる問題点を解決するためになされたもので、野菜収納ケースから発生するエチレンガスをフィルターで吸収しやすく、野菜の保存性が向上する冷蔵庫を提供することを目的とする。
【課題を解決するための手段】
【０００６】
この発明に係る冷蔵庫は、冷蔵庫本体と、この本体に設けられ、野菜等を収納する野菜室と、この野菜室に設けられ、野菜室に支持された引き出し式の扉を有し、この引き出し式の扉に支えられた上段ケースと下段ケースとで構成され、上段ケースは、下段ケースに支えられて下段ケースの上を製品奥行き方向にスライドし、製品内部の前面近くまで収納部を有する上下二段の収納ケースと、この収納ケースの上面を密閉するための蓋と、上段ケースの少なくとも底面又は側面に設けられ、下段ケースと連通する通気孔と、蓋又は収納ケースに設けられ、果物等から発生するエチレンガス等を吸収するフィルターと、を備えたことを特徴とする。
【発明の効果】
【０００７】
この発明は以上のように構成したので、下段ケースから発生するエチレンガスをフィルターで吸収しやすくなり、野菜の保存性が向上するという効果を奏する。
【発明を実施するための最良の形態】
【０００８】
実施の形態１．
以下、本発明の実施の形態１を図について説明する。
図１は実施形態１による冷蔵庫の側断面図である。図において、１は野菜室、２、３は野菜室１と他の室の中仕切り、４は野菜室扉で野菜室１の側壁に支えられており、レールやローラー等の機構部品により製品奥行き方向に引き出し可能になっている。５は下段ケースである野菜収納ケースで、野菜室扉４に支えられている。６はフルーツ等野菜と区別して保存したい食品専用の上段ケースであるフルーツ収納ケースであり、野菜収納ケース５に支えられ野菜収納ケース５の上を製品奥行き方向にスライドすることができる。７は野菜収納ケース５、フルーツ収納ケース６を密閉するための蓋としての野菜室蓋である。
尚、野菜収納ケース５をはじめとするプラスチック部品はリサイクルに有効なオレフィン系樹脂を用いる。
【０００９】
図２は実施の形態１による冷蔵庫の野菜室内部を示す斜視図である。
図に示すように、フルーツ収納ケース６の底面に野菜収納ケース５と連通する通気孔９が設けられている。
野菜室蓋７には果物から発生するエチレンガスを吸収するといったものや野菜室内の湿度を整える透湿機能を持つフィルター８を備える。
矢印は野菜収納ケース５とフルーツ収納ケース６との間で空気が自然対流している様子を示す。
【００１０】
上述の実施の形態によれば、フルーツ収納ケース６の底面に野菜収納ケース５と連通する通気孔９を備えたことにより、野菜収納ケース５から発生するエチレンガスをフィルター８で吸収しやすくなり、野菜の保存性が向上するという効果を奏する。
【００１１】
実施の形態２．
上記実施の形態１では、フルーツ収納ケース６の底面に野菜収納ケース５と連通する通気孔９を設けたが、図３に示すように、フルーツ収納ケース６の側面に野菜収納ケース５と連通する通気孔通気孔９を設けてもよく、実施の形態１と同様の効果を奏する。
矢印はケース５と６の間で空気が自然対流していることを示す。
【００１２】
実施の形態３．
上記実施の形態１では、野菜室蓋７にフィルター８を設けたが、図４に示すように、フルーツ収納ケース６の背面にフィルター８を設けてもよく、実施の形態１と同様の効果を奏する。
この実施の形態３では、図４に示すようにフルーツ収納ケース６の底面に野菜収納ケース５と連通する通気孔９を設けている。
矢印は野菜収納ケース５とフルーツ収納ケース６との間で空気が自然対流していることを示す。
【００１３】
この発明の実施の形態に係る冷蔵庫は、フィルターが上段ケースの背面に設けられたものである。
【００１４】
実施の形態４．
上記実施の形態３では、フルーツ収納ケース６の底面に野菜収納ケース５と連通する通気孔９を設けたが、図５に示すようにフルーツ収納ケース６の側面に野菜収納ケース５と連通する通気孔９を設けてもよく、実施の形態１と同様の効果を奏する。
矢印はケース５と６の間で空気が自然対流していることを示す。
【００１５】
実施の形態５．
上記実施の形態１では、野菜室蓋７にフィルター８を設けたが、図６に示すように、野菜収納ケース５の背面にフィルター８を設けてもよく、実施の形態１と同様の効果を奏する。
この実施の形態５では、図６に示すようにフルーツ収納ケース６の底面に野菜収納ケース５と連通する通気孔９を設けている。
矢印は野菜収納ケース５とフルーツ収納ケース６との間で空気が自然対流していることを示す。
【００１６】
この発明の実施の形態に係る冷蔵庫は、フィルターが下段ケースの背面に設けられたものである。
【００１７】
実施の形態６．
上記実施の形態５では、フルーツ収納ケース６の底面に野菜収納ケース５と連通する通気孔９を設けたが、図７に示すようにフルーツ収納ケース６の側面に野菜収納ケース５と連通する通気孔９を設けてもよく、実施の形態１と同様の効果を奏する。
矢印は野菜収納ケース５とフルーツ収納ケース６との間で空気が自然対流していることを示す。
【００１８】
実施の形態７．
図８に示すように、野菜収納ケース５及びフルーツ収納ケース６の背面にフィルター８を設けてもよく、実施の形態１と同様の効果を奏する。
この実施の形態７では、図８に示すようにフルーツ収納ケース６の底面に野菜収納ケース５と連通する通気孔９を設けている。
矢印は野菜収納ケース５とフルーツ収納ケース６との間で空気が自然対流していることを示す。
【００１９】
実施の形態８．
上記実施の形態７では、フルーツ収納ケース６の底面に野菜収納ケース５と連通する通気孔９を設けたが、図９に示すようにフルーツ収納ケース６の側面に野菜収納ケース５と連通する通気孔９を設けてもよく、実施の形態１と同様の効果を奏する。
矢印は野菜収納ケース５とフルーツ収納ケース６との間で空気が自然対流していることを示す。
【００２０】
実施の形態９．
図１０に示すように、野菜室蓋７とフルーツ収納ケース６の背面にフィルター８を設けてもよく、実施の形態１と同様の効果を奏する。
この実施の形態９では、図１０に示すようにフルーツ収納ケース６の底面に野菜収納ケース５と連通する通気孔９を設けている。
矢印は野菜収納ケース５とフルーツ収納ケース６との間で空気が自然対流していることを示す。
背面に設けられたものである。
【００２１】
実施の形態１０．
図１１に示すように、野菜室蓋７と野菜収納ケース５の背面にフィルター８を設けてもよく、実施の形態１と同様の効果を奏する。
この実施の形態１０では、図１１に示すようにフルーツ収納ケース６の底面に野菜収納ケース５と連通する通気孔９を設けている。
矢印は野菜収納ケース５とフルーツ収納ケース６との間で空気が自然対流していることを示す。
【００２２】
この発明の実施の形態に係る冷蔵庫は、フィルターが蓋及び上段ケースの背面又は下段ケースの背面に設けられたものである。
【００２３】
また、フィルターが上段ケースの背面及び下段ケースの背面に設けられたものである。
【００２４】
実施の形態１１．
上記実施の形態９では、フルーツ収納ケース６の底面に野菜収納ケース５と連通する通気孔９を設けたが、図１２に示すようにフルーツ収納ケース６の側面に野菜収納ケース５と連通する通気孔９を設けてもよく、実施の形態１と同様の効果を奏する。
矢印は野菜収納ケース５とフルーツ収納ケース６との間で空気が自然対流していることを示す。
【００２５】
実施の形態１２．
上記実施の形態１０では、フルーツ収納ケース６の底面に野菜収納ケース５と連通する通気孔９を設けたが、図１３に示すようにフルーツ収納ケース６の側面に野菜収納ケース５と連通する通気孔９を設けてもよく、実施の形態１と同様の効果を奏する。
矢印は野菜収納ケース５とフルーツ収納ケース６との間で空気が自然対流していることを示す。
【図面の簡単な説明】
【００２６】
【図１】本発明の実施形態１〜１２による冷蔵庫の側断面図である。
【図２】実施形態１による冷蔵庫の野菜室内部を示す斜視図である。
【図３】実施形態２による冷蔵庫の野菜室内部を示す斜視図である。
【図４】実施形態３による冷蔵庫の野菜室内部を示す斜視図である。
【図５】実施形態４による冷蔵庫の野菜室内部を示す斜視図である。
【図６】実施形態５による冷蔵庫の野菜室内部を示す斜視図である。
【図７】実施形態６による冷蔵庫の野菜室内部を示す斜視図である。
【図８】実施形態７よる冷蔵庫の野菜室内部を示す斜視図である。
【図９】実施形態８による冷蔵庫の野菜室内部を示す斜視図である。
【図１０】実施形態９による冷蔵庫の野菜室内部を示す斜視図である。
【図１１】実施形態１０による冷蔵庫の野菜室内部を示す斜視図である。
【図１２】実施形態１１による冷蔵庫の野菜室内部を示す斜視図である。
【図１３】実施形態１２よる冷蔵庫の野菜室内部を示す斜視図である。
【図１４】従来の冷蔵庫の側断面図である。
【図１５】従来の冷蔵庫の野菜室内部を示す斜視図である。
【符号の説明】
【００２７】
１  野菜室、２  仕切り、３  仕切り、４  野菜室引き出し扉、５  野菜収納ケース、６  フルーツ収納ケース、７  野菜室蓋、８  フィルター、９  通気孔。
【図１】
2007093202.tif 000003
【図２】
2007093202.tif 000004
【図３】
2007093202.tif 000005
【図４】
2007093202.tif 000006
【図５】
2007093202.tif 000007
【図６】
2007093202.tif 000008
【図７】
2007093202.tif 000009
【図８】
2007093202.tif 000010
【図９】
2007093202.tif 000011
【図１０】
2007093202.tif 000012
【図１１】
2007093202.tif 000013
【図１２】
2007093202.tif 000014
【図１３】
2007093202.tif 000015
【図１４】
2007093202.tif 000016
【図１５】
2007093202.tif 000017